(57)【特許請求の範囲】
【請求項１】
再生装置において、付加コンテンツデータを記録媒体に記録されたＡ／Ｖデータと連動して再生する方法であって、
付加コンテンツデータに関する再生制御情報を外部サーバーから取得するステップであって、前記付加コンテンツデータを構成する１つまたは複数のファイルは、前記再生制御情報によって前記記録媒体に記録されたＡ／Ｖデータのチャプターと対応付けられており、前記外部サーバーからの前記再生制御情報は、前記外部サーバー内における付加コンテンツデータの位置を示すファイル記録アドレス情報を含む、該再生制御情報を取得するステップと、
前記ファイル記録アドレス情報に基づいて前記付加コンテンツデータを前記外部サーバーから取得するステップと、
前記外部サーバーからの前記付加コンテンツデータを、バッファーメモリーの論理的に区分された少なくとも２つの領域のうちの一方の領域に格納するステップと、
前記再生制御情報または前記付加コンテンツデータを構成する前記ファイルに含まれる、前記付加コンテンツデータのイメージタイプと画面比とを示す属性情報を確認して、前記付加コンテンツデータの表現方式を決定するステップと、
決定された前記表現方式に従って、前記付加コンテンツデータを、前記付加コンテンツデータを構成する前記ファイルが前記Ａ／Ｖデータのチャプターと対応付けられている前記前記再生制御情報に従って前記記録媒体から再生されるＡ／Ｖデータと連動して再生するステップと
を含むことを特徴とする方法。
【請求項２】
前記属性情報は、前記付加コンテンツデータを構成している前記ファイルのファイル名に含まれていることを特徴とする請求項１に記載の方法。
【請求項３】
前記属性情報は、前記付加コンテンツデータを構成している前記ファイルのヘッダー領域内のメタタグ情報内に含まれることを特徴とする請求項１に記載の方法。
【請求項４】
前記属性情報は、前記付加コンテンツデータを構成している前記ファイルの任意の記録位置に含まれるタグ情報内に、イメージタグ情報として含まれることを特徴とする請求項１に記載の方法。
【請求項５】
前記イメージタイプは、前記付加コンテンツデータを再生する際のイメージが‘Ｓｑｕａｒｅ’であるか否かを示し、前記再生するステップは、前記イメージタイプが‘Ｓｑｕａｒｅ’を示す場合、前記付加コンテンツデータをＳｑｕａｒｅイメージで再生することを特徴とする請求項１に記載の方法。
【請求項６】
前記画面比は、前記付加コンテンツデータを再生する際のイメージの横／縦比が、４：３と１６：９のうちのいずれであるかを示し、前記再生するステップは、前記付加コンテンツデータを前記画面比に従って４：３または１６：９として再生することを特徴とする請求項１に記載の方法。
【請求項７】
付加コンテンツデータを記録媒体に記録されたＡ／Ｖデータと連動して再生するための装置であって、
付加コンテンツデータに関する再生制御情報を外部サーバーから取得するための手段であって、前記付加コンテンツデータを構成する１つまたは複数のファイルは、前記再生制御情報によって前記記録媒体に記録されたＡ／Ｖデータのチャプターと対応付けられており、前記外部サーバーからの前記再生制御情報は、前記外部サーバー内における付加コンテンツデータの位置を示すファイル記録アドレス情報を含む、該再生制御情報を取得するための手段と、
前記ファイル記録アドレスに基づいて前記付加コンテンツデータを前記外部サーバーから取得するための手段と、
論理的に少なくとも２つの領域に分割され、任意の一方の領域が前記外部サーバーからの前記付加コンテンツデータを格納するように構成されたバッファーメモリーと、
前記再生制御情報または前記付加コンテンツデータを構成する前記ファイルに含まれる、前記付加コンテンツデータのイメージタイプと画面比とを示す属性情報を確認して、前記付加コンテンツデータの表現方式を決定し、決定された該表現方式に従うように、および前記付加コンテンツデータを構成する前記ファイルと前記記録媒体に記録されたＡ／Ｖデータのチャプターとが対応付けられている前記再生制御情報に従って前記記録媒体から再生されるＡ／Ｖデータと連動するように、前記付加コンテンツデータの再生を制御するように構成されたコントローラと
を含むことを特徴とする装置。
【請求項８】
前記属性情報は、前記付加コンテンツデータを構成している前記ファイルのファイル名に含まれることを特徴とする請求項７に記載の装置。
【請求項９】
前記属性情報は、前記付加コンテンツデータを構成している前記ファイルのヘッダー領域内のメタタグ情報に含まれることを特徴とする請求項７に記載の装置。
【請求項１０】
前記属性情報は、前記付加コンテンツデータを構成している前記ファイルの任意の記録位置に含まれるタグ情報に、イメージタグ情報として含まれることを特徴とする請求項７に記載の装置。
【請求項１１】
前記イメージタイプは、前記付加コンテンツデータを再生する際のイメージが‘Ｓｑｕａｒｅ’であるか否かを示し、前記コントローラは、前記イメージタイプが‘Ｓｑｕａｒｅ’を示す場合、前記付加コンテンツデータの再生をＳｑｕａｒｅイメージとして制御するように構成されていることを特徴とする請求項７に記載の装置。
【請求項１２】
前記画面比は、前記付加コンテンツデータを再生する際のイメージの横／縦比が、４：３と１６：９のうちのいずれであるかを示し、前記コントローラは、前記付加コンテンツデータの再生を前記画面比に従って４：３または１６：９として制御するように構成されていることを特徴とする請求項７に記載の装置。
【発明の詳細な説明】
【技術分野】
【０００１】
本発明は、対話形ＤＶＤ（Ｉ−ＤＶＤ：Ｉｎｔｅｒａｃｔｉｖｅ  Ｄｉｇｉｔａｌ  Ｖｅｒｓａｔｉｌｅ  Ｄｉｓｃ）のような光ディスクに記録されたＡ／Ｖデータとコンテンツデータ、そしてインターネットを介してコンテンツ提供サーバーから提供するコンテンツデータを效率的にプレゼンテーションするための方法に関する。
【背景技術】
【０００２】
一般的に、大容量のデジタルデータを記録保存することができる高密度光ディスク、例えばＤＶＤが広く普及されているが、前記ＤＶＤは、デジタルオーディオデータはもちろん高画質の動映像データを長時間の間記録保存することができる大容量記録媒体として商用化されている。
【０００３】
一方、前記ＤＶＤには、前記動映像データの再生制御のために必要なナビゲーション（Ｎａｖｉｇａｔｉｏｎ）データが記録保存されるナビゲーションデータ記録領域と、前記動映像データのようなデジタルデータストリームが記録保存されるデータストリーム記録領域が含んで構成される。
【０００４】
したがって、一般的なＤＶＤ再生装置では、前記ＤＶＤが装置内に挿入安着される場合、前記ナビゲーションデータ記録領域に記録されたナビゲーションデータを読み出して、装置内のメモリーに保存した後、そのナビゲーションデータを利用して、前記データストリーム記録領域に記録された動映像データを読み出して再生するＤＶＤ再生動作を遂行するようになる。
【０００５】
これにより、前記ＤＶＤ再生装置を具備したユーザーは、前記ＤＶＤに記録された高画質の動映像データを長時間の間再生視聴するようになることはもちろん、前記ＤＶＤで提供される多様な機能を選択利用することができるようになる。
【０００６】
一方、最近には前記ＤＶＤから読み出して再生されるＡ／Ｖデータと関連した詳細情報を‘ｈｔｍｌファイル’等のような多様なコンテンツデータとして、ＤＶＤ上に付加記録して、ユーザーとのインターフェースを介して読み出して再生する対話形ＤＶＤ（Ｉ−ＤＶＤ）に対する具体化方案が関連企業間で論議されているが、このような対話形ＤＶＤが商用化される場合、前記Ａ／Ｖデータと関連された多様なコンテンツデータをユーザーが容易く検索することができるようになることと期待されている。
【０００７】
また、前記対話形ＤＶＤ（Ｉ−ＤＶＤ）に記録されたＡ／Ｖデータとコンテンツデータを再生しながら、また他の多様なコンテンツデータを、インターネットを介して連結接続されたコンテンツ提供サーバーから提供受けて、再生出力することができるようにするための方案が論議されているが、前記コンテンツデータを、その属性（Ａｔｔｒｉｂｕｔｅ）に沿って適合するように再生制御するための方案がまだ用意されていなくて、その解決方案用意が急に要求されている実情である。
【発明の開示】
【発明が解決しようとする課題】
【０００８】
したがって、本発明は前記のような実情を勘案して創作されたものであって、対話形ＤＶＤのような光ディスクのＡ／Ｖデータとこれの付加データであるコンテンツデータを連動して再生する対話形光ディスク装置で、前記光ディスクに既貯蔵されているまたは外部サーバーで提供される、前記コンテンツデータに対する属性（Ａｔｔｒｉｂｕｔｅ）情報を参照して、光ディスクから読み出すまたは前記コンテンツ提供サーバーから提供するコンテンツデータを、その属性情報に適合するようにプレゼンテーションするための方法を提供することに、その目的があるものである。
【課題を解決するための手段】
【０００９】
前記のような目的を達成するための本発明による対話形記録媒体装置での再生方法は、対話形記録媒体に収録されたＡ／Ｖデータの付加コンテンツデータの属性情報を確認する１段階；及び前記確認されたコンテンツデータの属性情報に基づいて、前記付加コンテンツデータの表現方式を決定してそれによって前記付加コンテンツデータをプレゼンテーションする２段階を含んで構成されることを特徴とする。
【発明を実施するための最良の形態】
【００１０】
以下、本発明による対話形記録媒体の付加データのプレゼンテーション方法に対する望ましい実施形態に対して、添付した図面を参照しながら詳細に説明する。
【００１１】
図１は、本発明による対話形記録媒体の再生方法が適用される対話形光ディスク装置に対する構成を示したものであって、前記対話形光ディスク装置、例えば対話形ＤＶＤプレーヤー１００には、光ピックアップ１１、ＩＤＶＤシステム１２、マイコン１３、バッファーメモリー１４、そしてインターネットインターフェース１５が含まれて構成されることができ、前記インターネットインターフェース１５を介してコンテンツ提供サーバー３００と連結接続されることができる。
【００１２】
また、前記ＩＤＶＤシステム１２では、対話形ＤＶＤ  １０から読み出すＡ／Ｖデータを再生出力するためのＤＶＤエンジン（Ｅｎｇｉｎｅ）と、前記コンテンツ提供サーバー３０から提供するコンテンツデータ、または対話形ＤＶＤから読み出すコンテンツデータを再生出力するためのＥＮＡＶエンジン（Ｅｎｈａｎｃｅｄ  Ｎａｖｉｇａｔｉｏｎ  Ｅｎｇｉｎｅ）が含んで構成されることができる。
【００１３】
一方、前記ＩＤＶＤシステム１２では、前記対話形ＤＶＤ  １０から読み出すＡ／Ｖデータとコンテンツデータを同期化させて再生出力するようになって、前記インターネットインターフェース１５では、図１に示したように、前記マイコン１３と、前記ＩＤＶＤシステム１２内に内蔵されたＥＮＡＶエンジンの相互作用により、インターネット２００を介してコンテンツ提供サーバー３００と連結接続される。
【００１４】
そして、前記バッファーメモリー１４では、前記コンテンツ提供サーバー３００から提供する多様なコンテンツデータ、例えば、対話形ＤＶＤ  １０から読み出すビデオデータと関連されたデータファイル等のような多様なＥＮＡＶコンテンツデータをダウンロードして臨時保存するようになって、前記バッファーメモリー１４は、論理的に第１バッファー（Ｂｕｆｆｅｒ  １）と第２バッファー（Ｂｕｆｆｅｒ  ２）に区分されることができる。
【００１５】
また、前記ＩＤＶＤシステム１２内のＥＮＡＶエンジンでは、前記対話形ＤＶＤ  １０から読み出すＡ／ＶビデオデータとＥＮＡＶコンテンツデータを同期化させて、再生出力したり、または前記Ａ／Ｖデータとコンテンツ提供サーバー３００から提供するまた他のＥＮＡＶコンテンツデータを同期化させて再生出力するようになる。
【００１６】
一方、前記対話形ＤＶＤ  １０に記録保存されるＥＮＡＶコンテンツデータは、複数のデータファイルで区分管理され、前記データファイルをＡ／Ｖデータと連動して再生するためのＥＮＡＶナビゲーション情報もまた前記対話形ＤＶＤ  １０に記録されていることができる。また、前記コンテンツ提供サーバー３００で、前記対話形ＤＶＤ  １０に記録保存されたＡ／Ｖデータと連関性を有する付加情報であるＥＮＡＶコンテンツデータを、複数のデータファイルに伝送提供すると共に、前記データファイルの内容を、Ａ／Ｖデータと同期させて表現することができるようにするためのＥＮＡＶナビゲーション情報を提供するようになる。この情報は一度に提供したりまたは分けられて必要時点毎に提供することができる。
【００１７】
例えば、図２に示したように、前記対話形ＤＶＤ  １０に一つのタイトル（Ｔｉｔｌｅ  ＃１）として記録管理される複数のチャプター（Ｃｈａｐｔｅｒ  ＃１、＃２．．．）に対応する少なくとも一つ以上のデータファイル（Ｆｉｌｅ  ＃１、＃２．．．）を、ＥＮＡＶユニット（ＥＮＡＶ_Ｕｎｉｔ）で区分管理すると共に、そのＥＮＡＶユニットに含まれるデータファイルを再生制御するためのナビゲーション情報をＥＮＡＶユニット情報（ＥＮＡＶ_Ｕｎｉｔ_Ｉｎｆｏ）として提供するようになる。
【００１８】
そして、複数のＥＮＡＶユニット情報（ＥＮＡＶ_Ｕｎｉｔ  ＃１_Ｉｎｆｏ、ＥＮＡＶ_Ｕｎｉｔ  ＃２_Ｉｎｆｏ．．）を‘リンクリスト（Ｌｉｎｋ  Ｌｉｓｔ）’で定義して、前記ＥＮＡＶコンテンツデータのファイルと共に伝送したり、またはそのＥＮＡＶコンテンツデータのファイルを伝送する以前にあらかじめ伝送するようになる。
【００１９】
一方、前記ＥＮＡＶユニット情報には、図３に示したように、該当ＥＮＡＶユニットに含まれる少なくとも一つ以上のデータファイルに対するファイル名（Ｆｉｌｅ（ｓ）Ｎａｍｅ）と、コンテンツ提供サーバー内でのファイル記録アドレス（Ｆｉｌｅ（ｓ）Ａｄｄｒｅｓｓ）、そしてファイル属性（Ｆｉｌｅ（ｓ）Ａｔｔｒｉｂｕｔｅ）情報が含まれることができる。
【００２０】
また、前記ファイル属性情報には、例えば第２ＥＮＡＶユニット（ＥＮＡＶ_Ｕｎｉｔ  ＃２）に含まれる第２ファイル（Ｆｉｌｅ  ＃２）に対するイメージタイプ（Ｔｙｐｅ）が‘Ｔｙｐｅ＝Ｎｏｎ_Ｓｑｕａｒｅ’であって、画面比（Ｒａｔｉｏ）が“Ｒａｔｉｏ＝１６：９‘という属性情報が含まれて記録されることができ、また第３ファイル（Ｆｉｌｅ  ＃３）に対するイメージタイプ（Ｔｙｐｅ）が‘Ｔｙｐｅ＝Ｓｑｕａｒｅ’であって、画面比（Ｒａｔｉｏ）が“Ｒａｔｉｏ＝４：３‘という属性情報が含まれて記録されることができる。
【００２１】
したがって、前記対話形ＤＶＤプレーヤーのマイコン１３では、ＥＮＡＶユニット情報に含まれた‘Ｆｉｌｅ（ｓ）Ｎａｍｅ’と‘Ｆｉｌｅ（ｓ）Ａｄｄｒｅｓｓ’を参照して、前記ＤＶＤエンジンにより再生出力されるＡ／Ｖデータストリームのチャプターと、前記ＥＮＡＶエンジンにより再生出力されるデータファイルが相互同期されて再生出力されることができるように制御するようになる。
【００２２】
また、前記ＥＮＡＶユニット情報に含まれた‘Ｆｉｌｅ（ｓ）Ａｔｔｒｉｂｕｔｅ’のイメージタイプ（Ｔｙｐｅ）と画面比（Ｒａｔｉｏ）情報を参照して、前記ＥＮＡＶエンジンにより再生出力されるコンテンツデータのイメージが、前記属性に適合なタイプと画面比で出力表示されるようにする一連の再生またはプレゼンテーション制御動作を遂行するようになる。
【００２３】
一方、前記のような属性情報を別途に記録管理しない代わりに、コンテンツデータのファイル名を介して間接的に識別可能なようにすることもできるが、例えば図４に示したように、第１ファイルのイメージタイプが‘Ｔｙｐｅ＝Ｓｑｕａｒｅ’であって、画面比（Ｒａｔｉｏ）が‘Ｒａｔｉｏ＝４：３’であることを識別することができるように第１ファイル名を、‘Ｆｉｌｅ  ＃１_Ｓ_Ｒ_４’のように記録管理するようになる。
【００２４】
そして、第２ファイルのイメージタイプが‘Ｔｙｐｅ＝Ｎｏｎ_Ｓｑｕａｒｅ’であって、画面比（Ｒａｔｉｏ）が‘Ｒａｔｉｏ＝１６：９’であることを識別することができるように第２ファイル名を、‘Ｆｉｌｅ  ＃２_ＮＳ_Ｒ_１６’で記録管理して、前記対話形ＤＶＤプレーヤーのマイコン１３では、前記ファイル名を参照して、該当ファイルのイメージに対するタイプ（Ｔｙｐｅ）と画面比（Ｒａｔｉｏ）情報を識別した後、前記ＥＮＡＶエンジンにより再生出力されるコンテンツデータのイメージが、前記属性に適合なタイプと画面比にして前記対話形ＤＶＤ  １０から再生されるＡ／Ｖデータと共に表示されるようにする一連のプレゼンテーション制御動作を遂行するようになる。
【００２５】
また、前記のような属性情報は、図５に示したように、メタタグ（Ｍｅｔａ  Ｔａｇ）情報内に含んで記録されることができるが、例えば前記コンテンツデータのファイルが‘*．ｈｔｍｌ’等のようなファイルである場合、そのファイルのヘッダー（Ｈｅａｄｅｒ）領域に含んで記録されるメタタグ情報内に、イメージタイプ（Ｔｙｐｅ）と画面比（Ｒａｔｉｏ）を識別することができる属性情報を追加記録するようになる。
【００２６】
例えば、第１ファイルのヘッダー領域に含んで記録されるメタタグ情報内には、該当ファイルのイメージタイプが‘Ｔｙｐｅ＝Ｓｑｕａｒｅ’であって、画面比（Ｒａｔｉｏ）が‘Ｒａｔｉｏ＝４：３’であることを識別することができるようにするために、‘ｉｍａｇｅ＝Ｓｑｕａｒｅ_４：３’という属性情報を付加記録して、第２ファイルのヘッダー領域に含んで記録されるメタタグ情報内には、該当ファイルのイメージタイプが‘Ｔｙｐｅ＝Ｎｏｎ_Ｓｑｕａｒｅ’であって、画面比（Ｒａｔｉｏ）が‘Ｒａｔｉｏ＝１６：９’であることを識別することができるようにするために、‘ｉｍａｇｅ＝Ｎｏｎ−Ｓｑｕａｒｅ_１６：９’という属性情報を付加記録するようになる。
【００２７】
一方、前記対話形ＤＶＤプレーヤーのマイコン１３では、前記メタタグ情報に付加記録される属性情報を参照して、該当ファイルのイメージに対するタイプ（Ｔｙｐｅ）と画面比（Ｒａｔｉｏ）情報を識別した後、前記ＥＮＡＶエンジンにより再生出力されるコンテンツデータのイメージが、前記属性に適合なタイプと画面比で、再生されるＡ／Ｖデータと共に表示されるようにする一連のプレゼンテーション制御動作を遂行するようになる。
【００２８】
そして、前記のような属性情報は、図６に示したように、一般的なデータファイルのタグ（Ｔａｇ）情報内に含んで記録されることができるが、例えば前記コンテンツデータのファイル先頭または後端などに含んで記録されることができるタグ情報内に、イメージタイプ（Ｔｙｐｅ）と画面比（Ｒａｔｉｏ）を識別することができる属性情報をイメージタグ（Ｉｍａｇｅ  Ｔａｇ）情報として付加記録するようになる。
【００２９】
例えば、第１ファイルの先頭領域に含んで記録されるタグ情報内には、該当ファイルのイメージタイプが‘Ｔｙｐｅ＝Ｓｑｕａｒｅ’であって、画面比（Ｒａｔｉｏ）が‘Ｒａｔｉｏ＝４：３’であることを識別することができるようにするための属性情報を付加記録して、第２ファイルの後端領域に含んで記録されるタグ情報内には、該当ファイルのイメージタイプが‘Ｔｙｐｅ＝Ｎｏｎ_Ｓｑｕａｒｅ’であって、画面比（Ｒａｔｉｏ）が‘Ｒａｔｉｏ＝１６：９’であることを識別することができるようにするための属性情報を付加記録するようになる。
【００３０】
一方、前記対話形ＤＶＤプレーヤーのマイコン１３では、前記タグ情報に付加記録される属性情報を参照して、該当ファイルのイメージに対するタイプ（Ｔｙｐｅ）と画面比（Ｒａｔｉｏ）情報を識別した後、前記ＥＮＡＶエンジンにより再生出力されるコンテンツデータのイメージが、前記属性に適合なタイプと画面比で出力表示されるようにする一連のプレゼンテーション制御動作を遂行するようになる。
【００３１】
したがって、前記対話形ＤＶＤプレーヤー１００では、対話形ＤＶＤ  １０から読み出すＡ／Ｖデータと連係再生されるＥＮＡＶコンテンツデータを、その属性に適合なイメージタイプと画面比でプレゼンテーションすることができるようになる。
【００３２】
参考に、前記属性情報には、コンテンツデータのイメージタイプと画面比以外にも、また他の多様な属性情報が含まれて記録されることができる。
【００３３】
前記のように構成される本発明による対話形記録媒体の付加データのプレゼンテーション方法は、対話形光ディスクに収録されたＡ／Ｖデータの付加コンテンツの属性が多様であってもそのコンテンツソースの属性に合うようにＡ／Ｖデータと共に連動してプレゼンテーションすることができるようにする。
【００３４】
以上、前述した本発明の望ましい実施形態は、例示の目的のために開示されたものであって、当業者ならば添付された特許請求範囲に開示された本発明の技術的思想とその技術的範囲内で、多様な他の実施形態を改良、変更、代替または付加などが可能であることである。
【図面の簡単な説明】
【００３５】
【図１】本発明による再生制御方法が適用される対話形光ディスク装置に対する構成を示した図である。
【図２】本発明によるＡ／Ｖデータストリームと、コンテンツナビゲーション情報、そしてコンテンツデータファイルを概念的に連係して示した図である。
【図３】本発明によるコンテンツファイルの属性情報が記録管理される第１実施形態を示した図である。
【図４】本発明によるコンテンツファイルの属性情報が記録管理される第２実施形態を示した図である。
【図５】本発明によるコンテンツファイルの属性情報が記録管理される第３実施形態を示した図である。
【図６】本発明によるコンテンツファイルの属性情報が記録管理される第４実施形態を示した図である。
【図１】
0004603366.tif 000002
【図２】
0004603366.tif 000003
【図３】
0004603366.tif 000004
【図４】
0004603366.tif 000005
【図５】
0004603366.tif 000006
【図６】
0004603366.tif 000007